(57)【要約】【課題】ヘアスタイリング装置における、現実的かつ商業的な改良および修正を行うことである。【解決手段】  ヘアスタイリング装置であって、髪の全長を収容するチャンバを画定する本体であって、前記チャンバは第１の開口を有し、前記髪の全長は前記第１の開口を通じて前記チャンバに入ることができる本体と、前記第１の開口に隣接して前記髪の全長と係合する回転可能な要素と、細長い部材であって、使用時にはその回りに前記回転可能な要素によって、前記髪の全長が巻きつけられる細長い部材と、開放位置と閉鎖位置とを有する移動可能なパネルであって、前記開放位置では、前記第１の開口は前記髪の全長を受容するように開放され、前記閉鎖位置では、前記第１の開口は覆われ、加熱手段を有する移動可能なパネルと、を有する。【選択図】図２
2015164538.tif 000002
【特許請求の範囲】
【請求項１】
ヘアスタイリング装置であって、
髪の全長を収容するように適応されるチャンバを画定する本体であって、前記チャンバは第１の開口を有し、前記髪の全長は前記第１の開口を通じて前記チャンバに入ることができる本体と、
前記第１の開口に隣接して前記髪の全長と係合するように適応される回転可能な要素と、
細長い部材であって、使用時にはその回りに前記回転可能な要素によって、前記髪の全長が巻きつけられる細長い部材と、
開放位置と閉鎖位置とを有する移動可能なパネルであって、前記開放位置では、前記第１の開口は前記髪の全長を受容するように開放され、前記閉鎖位置では、前記第１の開口は覆われ、加熱手段を有する移動可能なパネルと、
を有するヘアスタイリング装置。
【請求項２】
前記移動可能なパネルは前記閉鎖位置において前記回転可能な要素を覆う、請求項１に記載のヘアスタイリング装置。
【請求項３】
前記細長い部材は幅を有し、前記第１の開口は少なくとも前記細長い部材の前記幅と同じ幅である、請求項１または２に記載のヘアスタイリング装置。
【請求項４】
前記細長い部材の少なくとも一部は前記第１の開口内にある、請求項１〜３のいずれか１つに記載のヘアスタイリング装置。
【請求項５】
前記第１の開口に向かって前記髪の全長を誘導するように適応される誘導部分であって、前記回転可能な要素は前記誘導部分に対して回転可能であり、前記誘導部分は前記本体に対して移動可能である誘導部分、を有する請求項１〜４のいずれか１つに記載のヘアスタイリング装置。
【請求項６】
前記誘導部分は、使用時には、前記髪の全長を前記第１の開口に向かって押圧するように適応される、請求項５に記載のヘアスタイリング装置。
【請求項７】
前記移動可能なパネルは前記誘導部分を覆う、請求項５または６に記載のヘアスタイリング装置。
【請求項８】
前記細長い部材は前記チャンバ内で終了する、請求項の１〜７のいずれか１つに記載のヘアスタイリング装置。
【請求項９】
請求項１〜８のいずれか１つに記載のヘアスタイリング装置であって、前記回転可能な要素は第１の部分と第２の部分とを有し、前記第１の部分と第２の部分は互いに対して移動可能であり、前記第１の部分と第２の部分は開放条件を有し、前記開放条件において、前記第１の部分と第２の部分は、髪の全長を把持するように適応される端が開口した穴を画定し、前記第１の部分と第２の部分はまた、前記穴が実質的に閉鎖される閉鎖位置を有する、ヘアスタイリング装置。
【発明の詳細な説明】
【技術分野】
【０００１】
本発明はヘアスタイリング装置に関し、特に、本出願人による以前の出願である特許文献１および特許文献２に開示されているヘアスタイリング装置の改良に関する。
【０００２】
簡潔を期すために、本出願において、女性の髪のスタイリングに関して言及するが、本発明はそれに限定されない。
【背景技術】
【０００３】
特許文献１および特許文献２に記載するヘアスタイリング装置は、スタイリングする髪の全長を把持または収集し、細長い部材の周囲に髪の全長を巻きつける回転可能な要素を有する。好ましい実施形態は、細長い部材を囲むチャンバを利用する。チャンバはチャンバの壁および／または細長い部材に加えられる熱によって加熱される。チャンバ内の髪は、細長い部材の回りに髪がある間に熱を加えることによってスタイリングされる。
【０００４】
本発明は、特許文献１および特許文献２に記載するヘアスタイリング装置の好ましい実施形態と多くの特徴を共有する。不要な繰り返しを防ぐために、同特許文献の開示は本明細書に組み込まれる。
【０００５】
さらに、特許文献１および特許文献２に記載するヘアスタイリング装置は、本発明に最も近い従来技術であると考えられる。関連性の低いヘアスタイリング装置は特許文献３および特許文献４に記載されている。
【先行技術文献】
【特許文献】
【０００６】
【特許文献１】国際公開第２００９／０７７７４７号
【特許文献２】国際公開第２０１２／０８０７５１号
【特許文献３】米国特許第２、９３５、０７０号
【特許文献４】米国特許第４、１７７、８２４号
【発明の概要】
【発明が解決しようとする課題】
【０００７】
国際公開第２００９／０７７７４７号および国際公開第２０１２／０８０７５１号に記載するヘアスタイリング装置は現実的かつ商業的な利点を有しているが、本発明者らはさらに改良および修正を考案し、および本発明はこれらの改良および修正を対象にする。
【課題を解決するための手段】
【０００８】
本発明の第１の態様によれば、
髪の全長を収容するように適応されるチャンバを画定する本体であって、チャンバは第１の開口を有し、第１の開口を通って髪の全長がチャンバに入ってもよい本体と、
第１の開口に隣接して髪の全長と係合するように適応される回転可能な要素と、
使用時に、回転可能な要素によって髪の全長が巻きつけられる細長い部材と、
開放位置と閉鎖位置とを有する移動可能なパネルであって、開放位置では、第１の開口は髪の全長を受容するように開放され、閉鎖位置では、第１の開口は覆われ、加熱手段を有する移動可能なパネルと、
を有するヘアスタイリング装置が提供される。
【０００９】
第１の開口を覆うことができる移動可能なパネルは国際公開第２００９／０７７７４７号および国際公開第２０１２／０８０７５１号に開示されるが、これらの移動可能なパネルは加熱されない。
【００１０】
本発明者らは、第１の開口の幅を広くすることが有利であることに気づいた。国際公開第２００９／０７７７４７号および国際公開第２０１２／０８０７５１号の好ましい実施形態では、第１の開口は相対的に狭い。したがって、第１の開口は狭い「首部」を表し、チャンバに入るためには、髪はこの「首部」を通過しなければならない。一度に少量の髪をカールするようにユーザに促す場合には、これは有利である。ただし、本発明者らは幅広の第１の開口によって、ユーザは細長い部材のさらに近くに髪の全長を配置することができることに気づいた。それによって、回転可能な要素は小さい直径を有することができるため、装置全体の大きさを小さくすることができる。ただし、幅広の第１の開口によって、加熱されることができるチャンバの壁の区域は減少する。
【００１１】
チャンバをチャンバの外壁によって（場合によっては細長い部材によっても）加熱することが好ましい。外壁の区域によって、ユーザの髪を傷めかねないかなりな高温を避けながら、迅速にチャンバ内の髪に熱を伝えることができる。第１の開口を覆うパネルの少なくとも一部を加熱することによって、適用できる熱を最大化する。言い換えると、閉鎖チャンバの外壁の大部分が加熱されない状態を防ぐ。
【００１２】
望ましくは、移動可能なパネルは閉鎖位置において、第１の開口だけではなく回転可能な要素も覆う。
【００１３】
好ましくは、第１の開口は少なくとも細長い部材の幅と同じだけ広い。望ましくは、細長い部材の少なくとも一部は第１の開口内に位置する。国際公開第２００９／０７７７４７号および国際公開第２０１２／０８０７５１号の好ましい実施形態では、第１の開口は細長い部材の長手方向軸から一定の距離を置いて配置され、特に、細長い部材の周辺部よりも長手方向軸からさらに離れる。第１の開口を幅広にし、第１の開口を長手方向軸に近づけて配置することによって、ユーザは髪の全長を細長い部材に近づけて配置することができ、回転可能な要素を起動する前に、場合によっては細長い部材と係合する。したがって、回転可能な要素が通過する円形の通路の直径を小さくすることができ、装置全体を小型化できる有利点を得る。
【００１４】
幅広の第１の開口は、さらに有利点を有する。まず、ユーザは、髪の全長を第１の開口に隣接して配置する際にそれほど正確に配置する必要はない。それによって、（たとえば後頭部の髪をスタイリングするなど）ユーザの視界が良くない場合に有利となることもある。次に、スタイリングの手順中に、髪が挟まれていないか、または故意に張力を受けていないときは、髪を第１の開口を通すために力が必要となる。ユーザが不注意に、第１の開口を通るには厚すぎる髪の部分をカールしようとすると、髪の全長を第１の開口に通すために必要となるであろう力はかなり大きくなることもある。ユーザの髪を傷めるよりも、回転可能な要素が停止するように構成することもできるが、ユーザの髪に意図しない張力がかかることを避けることが好ましい。幅広の第１の開口を設けることで、ユーザが髪の厚い部分をカールすることを望む場合であっても、髪をチャンバに移動するために必要な力を低減することができる。
【００１５】
本装置の代替的な実施形態では、チャンバの壁は加熱されなくてもよく、この場合には、移動可能なパネルも加熱されなくてもよい。これらの実施形態では、たとえばヘアドライヤなどの外部手段によって髪を加熱してもよい。これらの代替的な実施形態は、それでも回転可能な要素の寸法を低減することに関して、幅広の第１の開口を設けることから利益を受けることもある。
【００１６】
国際公開第２０１２／０８０７５１号の開示と同様に、第２の開口は、好ましくは細長い部材の自由端を囲む。細長い部材は第２の開口を超えて突出してもよく、または第２の開口と一致して終了してもよく、またはチャンバ内で終了してもよい。「囲む」という用語は、これらの代案のすべてで用いられる。形成されたカールがまっすぐになることも、または変形することもなく、第２の開口によって細長い部材の端部から摺動できることが重要な特徴であるためである。したがって、「囲む」という用語は、細長い部材の軸に沿って見た観点から考慮されるべきである。この特徴によって、本発明の第１の態様と、たとえば、国際公開第２００９／０７７７４７号の図１３および図１４の装置とが区別される。この装置では、カールされた髪が取り除かれる第２の開口は、細長い部材の１つの側部にのみ存在する。
【００１７】
国際公開第２０１２／０８０７５１号で述べるように、巻きつけたカールをヘアスタイリング装置から出すときに、巻きつけたカールがまっすぐにされる要件を回避することは、ヘアスタイリングに関して大きな有利点を有する。このように、チャンバは熱く、したがって髪はチャンバから引き出されるときに熱いままであり、チャンバから取り出されるときに髪はスタイリングされ続けるため、取り出されるときに髪にわずかな力しかかからないとしても、髪の全長がチャンバから引き出される際に、巻かれたカールの曲線のかなりの部分（たとえば、おそらく約２５％）がほどけることがある。
【００１８】
本発明の第２の態様によれば、
髪の全長を収容するように適応されるチャンバを画定する本体であって、チャンバは第１の開口を有し、髪の全長は第１の開口を通じてチャンバに入ることができる本体と、
第１の開口に隣接して髪の全長と係合するように適応される回転可能な要素と、
細長い部材であって、使用時にはその回りに回転可能な要素によって、髪の全長が巻きつけられる細長い部材と、
第１の開口に向かって髪の全長を誘導するように適応される誘導部分であって、回転可能な要素は誘導部分に対して回転可能であり、本体に対して移動可能である誘導部分と、
を有するヘアスタイリング装置が提供される。
【００１９】
髪の全長を第１の開口に向かって誘導するための誘導手段は国際公開第２００９／０７７７４７号および国際公開第２０１２／０８０７５１号に記載されている。これら文献において示す実施形態では、誘導手段は第１の開口に向かって収束する傾斜面を備える。移動可能な誘導部分を設けることによって、特に、誘導部分を覆う移動可能なパネルを有する実施形態において、ヘアスタイリング装置の大きさを小さくすることができる。
【００２０】
好ましくは、誘導部分はまた、使用時に髪の全長を第１の開口に向かって押圧するようにも作用する。望ましくは、ヘアスタイリング補助装置は、第１の開口に対して移動可能なパネルを有する。誘導部分はパネルに対して移動可能である。
【００２１】
髪の全長の一部を第１の開口に向かって押圧するように作用する押圧部分は国際公開第２０１２／０８０７５１号に記載されている。押圧部分は移動可能なパネルと一体化している。押圧部分を移動可能なパネルと一体化することによって、可動部分が少ない簡潔な構造となる。ただし、押圧部分がパネルに対して移動可能であるため、押圧部分は誘導手段としても作用することができる。
【００２２】
好ましくは、パネルが開放位置にあるとき、誘導部分は本体と移動可能なパネルとの間の隙間を塞ぐ。
【００２３】
望ましくは、移動可能なパネルは回転可能な要素を覆うことができる。誘導部分が移動可能なパネルによって担持されない実施形態においても、移動可能なパネルは、使用時に、回転可能な要素が（たとえば２回目または３回目の回転時に）ほつれ毛を把持しないように、回転可能な要素を覆うことが望ましい。ほつれ毛を把持すると、ユーザの髪がからまる可能性が高くなる。
【００２４】
好ましくは、移動可能なパネルは回転可能な要素だけではなく誘導部分を覆う。
【００２５】
望ましくは、装置は２つの誘導部分を有する。誘導部分は第１の開口の長さに沿って離間する。また望ましくは、装置は第１の開口に隣接して配置される少なくとも１つの傾斜面を含む。それぞれの誘導部分は１または複数の傾斜面の反対側に移動する。このようにして、誘導部分は押圧部分としても作用し、１または複数の傾斜面に渡る髪の全長を第１の開口に向かって駆動し、すべての髪がさらに確実に回転可能な要素と係合し、収集されるようにする。２つの傾斜面、たとえば、第１の開口に向かって収束する傾斜面があってもよい。
【００２６】
本発明の第３の態様によれば、
髪の全長を収容するように適応されるチャンバを画定する本体であって、チャンバは第１の開口を有し、髪の全長は第１の開口を通じて通過することができる本体と、
第１の開口に隣接して髪の全長と係合するように適応される回転可能な要素と、
細長い部材であって、使用時にはその回りに回転可能な要素によって、髪の全長が巻きつけられる細長い部材と、
回転可能な要素のための２つの移動可能なカバー要素であって、移動可能なカバー要素は回転可能な要素が露出している開放位置と、回転可能な要素が移動可能なカバー要素によって覆われている閉鎖位置とを有し、移動可能なカバー要素はそれぞれ先端を有し、開放位置から閉鎖位置まで移動するにつれて、先端は髪の全長を第１の開口に向かって押圧するように作用するカバー要素と、
を有するヘアスタイリング装置が提供される。
【００２７】
好ましくは、移動可能なカバー要素は、開放位置から閉鎖位置まで移動するにつれて、互いに向かって移動する。望ましくは、閉鎖位置では、移動可能なカバー要素のうちの１つの一部は別のカバー要素の下部にある。
【００２８】
閉鎖位置では、カバー要素は回転可能な要素を囲み、回転可能な要素がほつれ毛と係合しないように作用する。カバー要素は「はさみ」のような作用を再現することができる。移動可能なカバー要素のうちの１つの一部の位置は別のカバー要素内にあるため、カバー要素は、回転可能な要素が回転する間、回転可能な要素を完全に囲むことができる。
【００２９】
望ましくは、移動可能なカバー要素は本体に枢動可能に取り付けられる。好ましくは、枢軸は回転可能な要素の回転軸に実質的に平行である。
【００３０】
本発明の第４の態様によれば、
髪の全長を収容するように適応されるチャンバを画定する本体であって、チャンバは第１の開口を有し、髪の全長は第１の開口を通じて通過することができる本体と、
第１の開口に隣接して髪の全長と係合するように適応される回転可能な要素であって、
チャンバを超えて延在する回転可能な要素と、
細長い部材であって、使用時にはその回りに回転可能な要素によって、髪の全長が巻きつけられる細長い部材と、
を有し、
本体は、蝶番で互いに留められる２つの本体部分から形成される、ヘアスタイリング装置が提供される。
【００３１】
したがって、本態様による本発明は、国際公開第２００９／０７７７４７号の好ましい実施形態および国際公開第２０１２／０８０７５１号の実施形態の特徴である、チャンバを超えて（横方向に）延在する回転可能な要素を有するという点を共有する。（たとえば国際公開第２００９／０７７７４７号の図１〜図８の実施形態参照）。
【００３２】
好ましくは、各本体部分は、回転可能な要素を収容する溝を含む。また好ましくは、各本体部分は、実質的に半円形の第１の壁部分を有する。それによって、本体部分が閉鎖位置まで移動すると、実質的に円形の外壁を有するチャンバを提供する。
【００３３】
望ましくは、各本体部分はフランジを有する。本体部分の開放条件では、フランジ間の空間は第１の開口を提供し、フランジは傾斜面を提供して、髪の全長を第１の開口に向かって誘導する。本体部分の閉鎖条件では、フランジは互いに係合して、第１の開口を閉鎖し、回転可能な要素を覆う。
【００３４】
好ましくは、本体部分は実質的に互いの鏡像である。
【００３５】
本発明の第５の態様によれば、
髪の全長を収容するように適応されるチャンバを画定する本体であって、チャンバは第１の開口を有し、髪の全長は第１の開口を通じて通過することができる本体と、
第１の開口に隣接して髪の全長と係合するように適応される回転可能な要素と、
細長い部材であって、使用時にはその回りに回転可能な要素によって、髪の全長が巻きつけられる細長い部材と、
を有し、
【００３６】
回転可能な要素は第１の部分と第２の部分とを有し、第１の部分および第２の部分は互いに対して移動可能であり、第１の部分と第２の部分は開放条件を有し、開放条件において、第１の部分と第２の部分は、髪の全長を把持するように適応される端が開口した穴を画定し、第１の部分と第２の部分はまた、穴が実質的に閉鎖される閉鎖位置を有する、ヘアスタイリング装置が提供される。
【００３７】
第１の部分および第２の部分が閉鎖条件にあるとき、ほつれ毛が回転可能な要素によって把持される可能性は低減されるか、または回避されることが理解されよう。したがって、このような構成は、回転可能な要素のためのカバーまたはパネルを用いずに使用可能であってもよい。
【００３８】
好ましくは、第１の部分および第２の部分は、開放位置から閉鎖位置まで移動するために、また髪の全長を把持するために反対に回転する。第１の部分および第２の部分は次に、髪の全長を細長い部材の回りでカールするために、選択した方向に一緒に回転する。代替的に、第１の部分のみが回転して髪の全長を把持し、第２の部分は、髪の全長が把持されて穴が閉鎖され次第、駆動されて第１の部分と一緒に回転する。
【００３９】
本発明の第６の態様によれば、
髪の全長を収容するように適応されるチャンバを画定する本体であって、チャンバは第１の開口を有し、髪の全長は第１の開口を通じて通過することができる本体と、
第１の開口に隣接して髪の全長と係合するように適応される先端を有する回転可能な要素であって、先端は円形の通路の回りを移動する回転可能な要素と、
細長い部材であって、使用時にはその回りに回転可能な要素によって、髪の全長が巻きつけられる細長い部材と、
第１の開口を閉鎖し、円形の通路の直径に配置される閉鎖要素と、
を有するヘアスタイリング装置が提供される。
【００４０】
本発明者らは、回転可能な要素がスタイリングする髪の全長のすべてを捕獲すること、および最初の回転で第１の開口を通過する際に髪の全長が把持されることが重要であることを認識した。回転可能な要素の最初の回転で髪の全長の一部が把持されないと、または第１の開口をその後通過する際に、ほつれ毛が回転可能な要素の先端によって把持されると髪はからまりやすくなる。特に、髪の全長が第１の開口に隣接している場合であって、髪の一部が回転可能な要素の円形の通路内にあり、髪の一部が円形の通路の外側にあるときにユーザが装置を起動すると、髪はからまりやすい。小型の回転可能な要素を用いるヘアスタイリング装置の実施形態では、ユーザが髪の全長のすべてを確実に回転可能な要素の先端の円形の通路に入れることができない可能性が高くなりやすい。
【００４１】
１または複数の誘導および押圧部分を、本発明の特定の態様で組み合わせて用いるのではなく、本態様は閉鎖要素を用いる。閉鎖要素は回転可能な要素の先端の円形の通路と一致し、したがって第１の開口に隣接して存在する髪を、円形の通路内の第１の部分（この第１の部分は把持されて、チャンバに移動される）と、円形の通路の外側にある第２の部分に分けることができる。したがって、この第２の部分は回転可能な要素からは離れて維持される。
【００４２】
望ましくは、閉鎖要素は髪の全長のそれぞれの部分を、回転可能な要素の先端の円形の通路の直径から離れるように押圧する。それによって、円形の通路の直径上に正確に存在する髪はなくなる。髪の全長のそれぞれの部分は、円形の通路内、または円形の通路の外側の位置に配置されることになる。
【００４３】
好ましくは、閉鎖成分は二股であり、回転可能な要素のいずれかの側に位置する部分を有する。
【発明の効果】
【００４４】
本発明の各態様の多くの特徴を、要望に応じて、互換性のある本発明の別の態様の特徴と組み合わせてもよい。すべての態様において、本発明は、髪の全長のいかなる部分も使用時に挟み付けないという点、およびスタイリング工程中に、張力を髪の全長にかけないという点で、国際公開第２００９／０７７７４７号の有利点を共有する。
【００４５】
本発明を詳細に、一例として、添付図を参照して説明する。
【図面の簡単な説明】
【００４６】
【図１】本発明の第１の態様によるヘアスタイリング装置の斜視図を示し、移動可能なパネルは閉鎖位置にある。
【図２】移動可能なパネルが開放位置にある、図１のヘアスタイリング装置を示す。
【図３】移動可能なパネルが開放位置にある、図１のヘアスタイリング装置の断面図を示す。
【図４】移動可能なパネルは閉鎖位置にある、図３の断面図を示す。
【図５】図１の装置の一部の端部を示す。
【図６】本発明の第２の態様によるヘアスタイリング装置の斜視図を示し、誘導部分および移動可能なパネルは開放位置にある。
【図７】閉鎖位置にある、図６の斜視図を示す。
【図８】図６の側面図を示す。
【図９】図７の側面図を示す。
【図１０】開放位置にある、図６の装置の一部の断面図を示す。
【図１１】閉鎖位置にある、図１０を示す。
【図１２】第２の態様によるヘアスタイリング装置の代替的な実施形態の図を示す。
【図１３】第２の態様によるヘアスタイリング装置の代替的な実施形態の図を示す。
【図１４】第２の態様によるヘアスタイリング装置の代替的な実施形態の図を示す。
【図１５】第２の態様によるヘアスタイリング装置の代替的な実施形態の図を示す。
【図１６】第２の態様によるヘアスタイリング装置の別の代替的な実施形態の図を示す。
【図１７】第２の態様によるヘアスタイリング装置の別の代替的な実施形態の図を示す。
【図１８】第２の態様によるヘアスタイリング装置の別の代替的な実施形態の図を示す。
【図１９】第２の態様によるヘアスタイリング装置のさらに別の代替的な実施形態の図を示す。
【図２０】第２の態様によるヘアスタイリング装置のさらに別の代替的な実施形態の図を示す。
【図２１】第２の態様によるヘアスタイリング装置の別の代替的な実施形態の図を示す。
【図２２】第２の態様によるヘアスタイリング装置の別の代替的な実施形態の図を示す。
【図２３】第２の態様によるヘアスタイリング装置の別の代替的な実施形態の図を示す。
【図２４】第２の態様によるヘアスタイリング装置の別の代替的な実施形態の図を示す。
【図２５】第２の態様によるヘアスタイリング装置の別の代替的な実施形態の図を示す。
【図２６】第２の態様によるヘアスタイリング装置の別の代替的な実施形態の図を示す。
【図２７】第２の態様によるヘアスタイリング装置の別の代替的な実施形態の図を示す。
【図２８】第２の態様によるヘアスタイリング装置の別の代替的な実施形態の図を示す。
【図２９】第２の態様によるヘアスタイリング装置のさらに別の代替的な実施形態の図を示す。
【図３０】第２の態様によるヘアスタイリング装置のさらに別の代替的な実施形態の図を示す。
【図３１】第２の態様によるヘアスタイリング装置のさらに別の代替的な実施形態の図を示す。
【図３２】第２の態様によるヘアスタイリング装置のさらに別の代替的な実施形態の図を示す。
【図３３】第２の態様によるヘアスタイリング装置のさらに別の代替的な実施形態の図を示す。
【図３４】第３の態様によるヘアスタイリング装置の実施形態の図を示す。
【図３５】第３の態様によるヘアスタイリング装置の実施形態の図を示す。
【図３６】第３の態様によるヘアスタイリング装置の実施形態の図を示す。
【図３７】第４の態様によるヘアスタイリング装置の実施形態の図を示す。
【図３８】第４の態様によるヘアスタイリング装置の実施形態の図を示す。
【図３９】第５の態様によるヘアスタイリング装置の実施形態の図を示す。
【図４０】第５の態様によるヘアスタイリング装置の実施形態の図を示す。
【図４１】第５の態様によるヘアスタイリング装置の実施形態の図を示す。
【図４２】第５の態様によるヘアスタイリング装置の実施形態の図を示す。
【図４３】第５の態様によるヘアスタイリング装置の実施形態の図を示す。
【図４４】第６の態様によるヘアスタイリング装置の実施形態の図を示す。
【図４５】第６の態様によるヘアスタイリング装置の実施形態の図を示す。
【図４６】第６の態様によるヘアスタイリング装置の実施形態の図を示す。
【図４７】第６の態様によるヘアスタイリング装置の実施形態の図を示す。
【図４８】第６の態様によるヘアスタイリング装置の実施形態の図を示す。
【図４９】ヘアスタイリング装置に一体化されてもよい別の特徴を示す。
【図５０】ヘアスタイリング装置に一体化されてもよい別の特徴を示す。
【図５１】ヘアスタイリング装置に一体化されてもよい別の特徴を示す。
【図５２】ヘアスタイリング装置に一体化されてもよい別の特徴を示す。
【図５３】ヘアスタイリング装置に一体化されてもよい別の特徴を示す。
【図５４】第２の態様による別の実施形態の斜視図を示す。
【図５５】図５４の実施形態の別の斜視図を示す。
【図５６】図５４および図５５の実施形態の一連の操作を示す。
【図５７】図５４および図５５の実施形態の一連の操作を示す。
【図５８】図５４および図５５の実施形態の一連の操作を示す。
【図５９】図５４および図５５の実施形態の一連の操作を示す。
【発明を実施するための形態】
【００４７】
国際公開第２００９／０７７７４７号は引用により本明細書に含まれ、図１〜図５の実施形態に関連して装置の操作を簡潔に説明し、以前の開示との相違点を明確にする。
【００４８】
ヘアスタイリング装置１１０は本体１１２およびハンドル１１４を有する。本体１１２内にはチャンバ１１６がある。細長い部材１２０はチャンバ１１６内に位置する。細長い部材１２０の直径２ｒおよびチャンバの壁１２２の直径Ｄ（図５参照）は所望する曲線のカールを作るように選択される。（細長い部材１２０、およびチャンバ１１６は円形の断面を有する必要はなく、「直径」に対する言及は円形の実施形態のみを指すことが理解されよう）。
【００４９】
本体１１２は第１の開口１２４（図２）を有し、そこを通じて髪の全長１２６（図３、図４）をチャンバ１１６に入れることができる。本実施形態では、髪の全長１２６を装置に入れることは、第１の開口１２４の対向する側に位置する一対の傾斜面１３０および１３２によって促進される。別の実施形態では、傾斜面の１つまたは両方が省略されることが理解されよう。
【００５０】
装置１１０は、回転可能な要素１３４（図４７の実施形態に分かりやすく示す、回転可能な要素１１３４と同一であってもよい）を有する。回転可能な要素１３４は、長手方向軸Ａ−Ａの回りを回転するように駆動されることができる。回転可能な要素１３４は第１の開口１２４から突出し、図２に示すように、傾斜面１３０および１３２は、回転中に回転可能な要素１３４を内部に収容するように形成される切り抜きを有する。
【００５１】
本実施形態では回転可能な要素１３４がその回りを回転する軸Ａ−Ａは、細長い部材１２０の長手方向軸に平行であり、一致するが、これは必ずしも必要ではない。また、本実施形態では、細長い部材１２０は本体１１２に対して固定される。つまり、細長い部材１２０は回転可能な要素１３４と共には回転しないが、これは必ずしも必要ではなく、別の実施形態では、細長い部材は回転可能な要素と共に回転する。
【００５２】
回転可能な要素１３４が（図１に示すように時計回りに）回転するにつれて、その先端１２８は、第１の開口１２４に隣接して位置する髪の全長１２６を通過し、先端１２８は髪の全長１２６を把持する。回転可能な要素１３４の形状は、回転しながら髪の全長１２６を第１の開口１２４を通じてチャンバ１１６の中に引っ張るようなものである。
【００５３】
図３に示す髪の全長１２６を考慮すると、端部１４０は髪の全長の自由端であり、部分１４２はユーザの頭部（不図示）に接続する。ヘアスタイリング装置１１０は、部分１４２と自由端１４０との間にある髪の全長１２６の実質的に全体にカールを与えることを目的とする。そのため、符号１４２は、装置によってスタイリングする髪の全長１２６の「端部」を表す。髪の全長１２６の一本ずつの髪はユーザの頭皮（不図示）に接続する。
【００５４】
回転可能な要素１３４が回転するにつれて、髪の全長１２６の遠位部分（回転可能な要素１３４と自由端１４０との間にある）は、図２に示すように、第１の開口１２４を通り回転可能な要素の裏側まで引っ張られる。図２に示すように、第１の開口１２４は、相対的な固定面を提供する閉鎖端１４８を有する。髪を装置１１０に引き入れるのは、回転可能な要素１３４と第１の開口１２４（特にその閉鎖端１４８）との間の相対的な回転である。
【００５５】
本実施形態では、第１の開口１２４は第２の開口１５０に接続する。回転可能な要素１３４が回転するとき、髪の全長の近位部分（回転可能な要素１３４と部分１４２との間にある）もまた、第１の開口１２４を通りチャンバ１１６内に入り、図２に示すように、回転可能な要素の手前側にまで引っ張られる。特に、近位部分は第１の開口１２４を通り第２の開口１５０内にまで引っ張られる。
【００５６】
図中には不図示だが、ヘアスタイリング装置１１０は第２の開口１５０内に当接部を含むこともある。当接部は相対的な固定面を提供し、固定当接部に対する回転可能な要素１３４の回転によって、髪の全長がチャンバ１１６に引き込まれることが理解されよう。
【００５７】
別の実施形態では、ユーザは指または親指を第２の開口１５０にまたがって置くように指示され、ユーザの指または親指が当接部を提供する。さらに別の実施形態では、第２の開口は、図５２に示すような複数の突出１５２を有し、または図５３の実施形態のように複数の凹み１５４を有する。ユーザはヘアスタイリング装置を操作して、一時的に髪の全長を突出１５２の間に、または凹み１５４内に捕えることができる。
【００５８】
当接部はスタイリング手順全体に渡って、所定の位置に留まらなくてもよく、一部の事例では、髪の全長が細長い部材１２０の回りに巻かれ始めると、回転可能な要素が回転を続けている間に（たとえばユーザの指または親指などの）当接部を取り除くことができることが理解されよう。
【００５９】
国際公開第２００９／０７７７４７号のヘアスタイリング装置と同様に、髪は装置１１０のいずれの部分によっても挟まれない。ただし、髪の全長１２６の部分１４２は、装置１１０に対して所定の位置で実質的に固定される。したがって、回転可能な要素１３４が回転を続ける間、図２に示すように、髪の全長１２６の遠位部分は次第に回転可能な要素１３４の裏側から手前側に引っ張られ、最終的に、髪の全長１２６すべては回転可能な要素１３４の手前側まで細長い部材１２０に巻きつけられる。
【００６０】
本実施形態では、細長い部材１２０およびチャンバ１１６の壁１２２内の加熱要素（不図示）によって、チャンバ１１６は加熱される。
【００６１】
移動可能なパネル１５６は、ハンドル１１４に枢動可能に取り付けられる。枢軸は相対的にチャンバ１１６に近く（国際公開第２０１２／０８０７５１号の移動可能なパネルの枢軸よりもよりもチャンバ１１６に実質的に近い）、本実施形態では、スイッチ１６０によって電気的に起動される。スイッチはハンドル１１４の任意の適切な位置に配置されてもよい。図６〜図１１の代替的な実施形態では、移動可能なパネルは引き金２６０によって手動で起動される。このような手動による起動方法を電気的な起動の代わりに用いてもよい。
【００６２】
移動可能なパネル１５６は図２および図３に示す開放位置と、図１および図４に示す閉鎖位置との間で、本体１１２に対して移動することができる。本実施形態では、移動可能なパネル１５６は電気的に起動されて、開放位置と閉鎖位置との間で移動するが、他の実施形態では、パネルはこれらの位置の１つに対して弾性的に付勢されてもよい。
【００６３】
したがって、ヘアスタイリング装置１１０は、特に、自分の髪をスタイリングする個人の使用に適している。ユーザは髪の全長１２６を片手で握り、ヘアスタイリング装置１１０をもう一方の手で握る（および操作する）。ヘアスタイリング装置１１０を片手で握って操作できることはまた、他人の髪をスタイリングために本装置を用いるときに、美容師などにも有利である。
【００６４】
図５から明らかなように、第１の開口１２４の幅Ｗは、国際公開第２００９／０７７７４７号の図１〜図８の比較実施形態および国際公開第２０１２／０８０７５１号の図１〜図５の実施形態の第１の開口よりはるかに大きい。
【００６５】
特に、第１の開口１２４の幅Ｗは、細長い部材１２０の直径２ｒよりかなり大きい。さらに、第１の開口は細長い部材１２０の先端に隣接して位置し、つまり細長い部材１２０の長手方向軸Ａ−Ａ上の第１の開口の高さｈは、本実施形態では細長い部材の半径ｒとほぼ同じである。したがって、ユーザは、回転可能な要素１３４の起動前に、髪の全長１２６を細長い部材１２０にかなり近づいて配置することができる（細長い部材１２０と係合することもある）。そのため、有利には回転可能な要素１３４を小さくすることができ、装置１１０の全体的な大きさ、特に本体１１２の断面寸法を小さくすることができる。
【００６６】
他の実施形態では、回転可能な要素の長手方向軸Ａ−Ａ上の第１の開口１２４の高さｈは、細長い部材の半径ｒより低くても、または高くてもよいことが理解されよう。また、第１の開口１２４の幅Ｗは図５に示す幅Ｗよりも狭くてもよく、細長い部材の幅２ｒと概ね同じであってもよい。
【００６７】
第１の開口１２４はチャンバ１１６の壁の円周長の大部分に渡るため、パネル１５６は加熱要素１５８によって加熱される。加熱要素１５８は、パネル１５６の熱伝導壁１６２と係合して取り付けられる。したがって、パネルの閉鎖位置では、熱をチャンバ１１６内の髪の全長に加えることができる。髪はチャンバ１１６の実質的に全周に（チャンバ１１６の実質的に全長に沿って）巻かれている。
【００６８】
図１〜図５の実施形態では、移動可能なパネル１５６は、回転可能な要素１３４を覆うことと、第１の開口１２４を閉鎖することの二重機能を提供する。移動可能なパネル１５６はチャンバ１１６の全長に渡り、それによって、最大熱量をチャンバに伝達することができる。（たとえば、移動可能なパネルは加熱されない）本発明の別の態様による実施形態では、パネルがチャンバの全長に渡ることが必要ではないことが理解されよう。
【００６９】
たとえば、加熱されたチャンバ１１６内に規定の時間だけ留まることによって髪の全長１２６がスタイリングされると、第２の開口１５０を通って（第２の開口内の当接部を必要に応じて移動させて）、カールされた髪の全長１２６を細長い部材１２０の端部から外に滑り出させることができる。ヘアスタイリング装置１１０をスタイリングされた髪の全長から引き離すにはほとんど力を必要とはせず、第２の開口１５０が細長い部材１２０を囲むため、髪の全長は何も障害を通過する必要はなく、またはヘアスタイリング装置１１０から髪の全長を取り除く際に、別の方法で髪をまっすぐにされることもない。そのため、本装置によって作成されたカールの曲線を実質的に維持することができる。
【００７０】
髪の全長１２６がからまる可能性が最も高くなるのは、髪の全長１２６の一部が回転可能な要素によって把持され、髪の全長１２６の別の部分が回転可能な要素によって把持されないことが原因であると認識されてきた。このような事例では、把持された部分は細長い部材に巻きつけられる一方、把持されていない部分は巻きつけられない。本発明の実施形態は、髪の全長１２６のすべてが回転可能な要素によって把持される可能性を増やすことによって、このようにからまる可能性を低減することを模索する。このような本発明の実施形態を図６〜図１１、図１２〜図１５、図１６〜図１８、図１９〜図２０、図２１〜図２８、図２９〜図３３および図５４〜図５９に示す。
【００７１】
髪の全長を第１の開口に誘導するように機能する固定傾斜面を任意に含むことに加えて、これらの図は移動可能な誘導部分２５４（など）の様々な実施形態を示す。移動可能な誘導部分２５４は、主に第１の開口を超える隙間を塞ぎ、髪の全長を第１の開口に向かって誘導するように機能する。ただし、本実施形態で示す誘導部分もまた、髪の全長を第１の開口に向けて押すという二次機能の役割を果たす。特に、移動可能な誘導部分２５４などは、髪の全長を回転可能な要素の先端の下に押圧するように機能し、それによって、髪の全長の一部が回転可能な要素によって把持されないという可能性を低減する。
【００７２】
図６〜図１１の実施形態では、誘導部分２５４は一般に、Ｕ字型の形状の要素であり、本体２１２上に枢動可能に取り付けられる。Ｕ字型の要素の底面は移動可能なパネル２５６のポケット２７０（図１０）内に配置される。移動可能なパネルはハンドル２１４上に枢動可能に取り付けられる。したがって、誘導部分２５４は移動可能なパネル２５６と共に移動するように取り付けられるが、一部の相対運動は枢軸の位置が異なるために、調整されなければならない。
【００７３】
移動可能なパネル２５６はその開放位置に弾性的に付勢され（図６および８）、ユーザは枢動する引き金２６０をハンドル２１４に向かって押圧することによって、パネル２５６を閉鎖位置まで移動させる。
【００７４】
図中、ハンドル２１４および引き金２６０は湾曲しているが、他の実施形態では直線状であってもよい。
【００７５】
図１〜図５の実施形態では、移動可能なパネル２５６は、使用時には回転可能な要素２３４を覆い、チャンバ２１６を加熱する加熱要素（不図示）も担持する両方の役割を果たす。
【００７６】
図１２〜図１５の実施形態では、誘導部分３５４は移動可能なパネル３５６から離間している。誘導部分３５４は、パネル３５６が図１５に示す閉鎖位置まで移動する前に、図１４に示す閉鎖または操作位置に移動される。したがって、誘導部分３５４が髪の全長を第１の開口３２４に向かって押す段階は、回転可能な要素３３４を覆う段階とは異なる。
【００７７】
図１５では、矢印は回転可能な要素の先端３２８の円形の通路３７２を示す。図１４および図１５から、誘導部分３５４が閉鎖位置にあるとき、誘導部分３５４は第１の開口３２４に近接して存在し、重要なことには円形の通路３７２内部に存在するように配置されることが明らかであろう。誘導部分３５４（同様に別の実施形態の誘導部分）はまず、髪の全長を第１の開口に向かって誘導し、次に髪の全長を回転可能な要素３３４の先端３２８が通る円形の通路下部に押圧するように作用し、それによって、髪の全長すべてが確実に回転可能な要素によって把持されるようにする。
【００７８】
別の実施形態とも同様に、移動可能なパネル３５６は回転可能な要素３３４を覆って囲み、それによってほつれ毛が回転可能な要素と係合することを防ぐ。したがって、別の実施形態と同様に、誘導部分３５４および移動可能なパネル３５６が図１５に示す操作または閉鎖位置になるまでは、回転可能な要素３３４が回転できないように配置されることが望ましい。
【００７９】
誘導部分２５４、３５４（など）の主要機能は、図８および図１２から（および図５４からも）はっきり分かるように、第１の開口を超えた本体と移動可能なパネルとの間の隙間を塞ぐことであり、それによって髪の全長を第１の開口２２４、３２４に向かって誘導することである。髪の全長が本体２１２、３１２と移動可能なパネル２５６、３５６それぞれとの間に押し込まれると、髪はそれぞれ誘導部分２５４、３５４と係合することが明らかであろう。そのため、誘導部分は髪が第１の開口を超える区域に押し込まれることを防ぐ。第１の開口を超える区域では、移動可能なパネルが閉鎖する際に、髪が本体と移動可能なパネルとの間で挟まれることもありえる。第１の開口の上部で誘導部分２５４、３５４が傾斜配向されているため、髪の全長は確実に第１の開口に向かって誘導される。誘導部分を傾斜して配置することが好ましいが必須ではないことが理解されよう。誘導部分が第１の開口を超えた隙間を塞ぐ限り、誘導部分を用いて、髪の全長を第１の開口に向けて誘導することができる。
【００８０】
国際公開第２０１２／０８０７５１号で開示される裏側に傾斜した面と同様に、髪の全長の任意の部分が、第１の開口を超えて不注意に押される可能性を低減することが誘導部分２５４、３５４などの重要な機能である。第１の開口を超えると、髪は本体と移動可能なパネルとの間に挟まれる可能性がある。国際公開第２０１２／０８０７５１号では、移動可能なパネルの移動範囲を、傾斜面の上部を通過するために必要な移動範囲よりも小さくすることによって（言い換えると、移動可能なパネルが完全に開放されるときに、傾斜面を移動可能なパネル内に存在できるほど大きくすることによって）これを実現している。したがって、国際公開第２０１２／０８０７５１号の裏側に傾斜した面は、本体と移動可能なパネルとの間に第１の開口を超えて存在する隙間を効率的に塞ぎ、それによって、髪が第１の開口を超えて不注意に押されることを防ぐ。移動可能な誘導部分の有利点は、移動可能な誘導部分を用いて、第１の開口を超えた隙間を塞ぐことができ、隙間を塞ぐ固定面を提供する必要がないことである。したがって、移動可能なパネルは固定傾斜面の高さを超えて移動されてもよく、それによって、髪の全長を導入することができる隙間の大きさを大きくすることができる。（この特徴は図５４の実施形態から最もよく分かる）。代替的または追加的に、傾斜面は、移動可能なパネルの移動範囲を制限することなく、さらに小さくされてもよい。移動可能なパネルは傾斜面を閉鎖位置で収容しなくてはならないため、小さい傾斜面によって、小さい（具体的には薄い）移動可能なパネルが可能になり、それによって小型のヘアスタイリング装置が可能となる。
【００８１】
誘導部分２５４、３５４（など）の枢軸が第１の開口の近くに（具体的には直接隣接して）配置されるため、誘導部分の封鎖および誘導機能は強化される。
【００８２】
図１２〜図１５の実施形態では、本体３１２は傾斜面３３０を有し、傾斜面３３０の上に誘導部分３５４が取り付けられる。誘導部分の取り付け位置によって、傾斜面は誘導部分と協働することができ、髪の全長のいずれかが不注意にユーザによって第１の開口を超えて押されることを物理的に防ぐ。本実施形態では、誘導部分は第１の開口の非常に近くに取り付けられているため、傾斜面のほんの一部のみが髪の全長と係合してもよいことが、図１０から明らかである。したがって、傾斜面は非常に小さくてもよく、傾斜面を収容するために設けられる移動可能なパネル２５６内の凹みも非常に小さくてもよい。
【００８３】
図１２〜図１５の実施形態は、髪の全長を第１の開口３２４に誘導するように機能する別の固定傾斜面３３２を含む。誘導部分３５４の側面は長手方向軸Ａ−Ａに沿って、傾斜面３３２の幅よりもわずかに広い距離だけ離間している。それによって、閉鎖位置では、誘導部分は傾斜面３３２を接近して囲む。
【００８４】
したがって、誘導部分３５４およびパネル３５６が開放位置にあるとき（図１２）、誘導部分３５４が閉鎖位置に移動するにつれて、傾斜面３３２に隣接している髪の全長のいずれかが誘導部分３５４によって傾斜面３３２に沿って、第１の開口３２４に向かって押圧されることが理解されよう。したがって、回転可能な要素が回転するにつれて、髪の全長は第１の開口３２４に隣接して保持される。それによって、髪の全長のいずれかが回転可能な要素３３４によって把持される可能性ははるかに低減され、または排除される。
【００８５】
図１６〜図１８の代替的な実施形態は、２つの誘導部分４５４ａおよび４５４ｂを有する。２つの誘導部分４５４ａおよび４５４ｂは図１６に示す開放位置から、図１７の中間位置を通って、図１８の閉鎖位置まで移動することができる。この移動の間、誘導部分は髪の全長と係合し、第１の開口の方に押圧する。
【００８６】
ここでも、誘導部分４５４ａ、ｂはＵ字型である。各Ｕ字型の誘導部分の底面は（回転可能な要素の邪魔とならないように）、誘導部分の側面が円形の通路内にあるとき、回転可能な要素の先端の円形の通路外側に存在しなければならないことが理解されよう。
【００８７】
本実施形態では、誘導部分４５４ａ、ｂは電気的に起動されるが、所望する場合は機械的に起動されてもよい。
【００８８】
図１９および図２０の実施形態は、ある程度図１６〜図１８の実施形態に類似している。違いは、この装置が単一の誘導部分５５４および協働する移動可能な（および加熱された）パネル５５６を含むことである。
【００８９】
図２１〜図２８の実施形態は、２つの指６５４ａ、６５４ｂを備える第１の誘導部分６５４を有する。２つの指６５４ａ、６５４ｂは、従前の実施形態のＵ字型の誘導部分の側面を効率的に備えるが、底面は備えない。本実施形態は、１つの固定傾斜面６３０および移動可能な傾斜面６３２の形で第２の誘導部分を有する。
【００９０】
図２１〜図２４は装置６１０の一連の操作の側面図を示し、図２５〜図２８は一連の斜視図を示す。誘導部分６５４ａ、ｂが閉鎖位置まで移動するにつれて、傾斜面６３２が図２１および図２５の開放または格納位置から、図２４および図２８の閉鎖または拡張位置まで移動することが分かるであろう。
【００９１】
図２９〜図３３は、異なる形状の誘導部分７５４を用いる実施形態の図を示す。本実施形態では、誘導部分７５４の誘導機能は押圧機能よりも重要ではない。誘導部分７５４は図３１で示され、軸７７４の回りを枢動することができる二股部材を備える。回転可能な要素７３４（その先端の円形の通路７７２を図２９および図３０において点線の輪郭で示す）は、誘導部分７５４の２つの側部７７６ａおよび７７６ｂの間を通ることができる。
【００９２】
装置７１０は電気的に起動され、駆動部材７７８を含む。駆動部材７７８は図３０に示す格納位置と図２９に示す拡張位置との間を移動することができる。格納位置では、誘導部分７５４は開放位置に弾性的に付勢され、拡張位置では、駆動部材７７８は誘導部分７５４を閉鎖位置まで駆動させる。
【００９３】
装置７１０はまた、開放位置と閉鎖位置との間を駆動部材７７８によって同様に枢動する移動可能な当接部７５２を含む。
【００９４】
一定の実施形態の誘導部分は、一般に別の実施形態の誘導部分と交換可能であり、同様に、誘導部分の移動手段も交換可能であることが理解されよう。誘導部分は、主に髪の全長がユーザによって装置に導入される操作の初期段階において誘導機能を提供することも理解されよう。（この初期段階では、誘導部分は実質的に固定されている）。誘導部分は押圧機能を後続する操作段階で提供する。この段階では、誘導部分は第１の開口に向かって移動する。
【００９５】
図３４〜図３６の実施形態は、回転可能な要素８３４のための２つの移動可能なカバー要素８８０、８８２を有する。移動可能なカバー要素８８０、８８２は、図３４に示す開放位置から、図３５に示す中間位置を通って、図３６に示す閉鎖位置まで移動することができる。開放位置では、回転可能な要素８３４は露出しているが、閉鎖位置では、回転可能な要素８３４は移動可能なカバー要素８８０、８８２によって覆われていることが分かるであろう。カバー要素８８０はカバー要素８８２より小さい。閉鎖位置では、カバー要素８８２は、カバー要素８８０の一部の上に位置する（および覆う）。
【００９６】
さらに、図３５に示すように、移動可能なカバー要素８８０、８８２は、それぞれ先端を有する。先端は、閉鎖位置に移動するにつれて、髪の全長を第１の開口８２４に向かって押圧するように作用する。したがって、本実施形態の移動可能なカバー要素は、髪の全長を第１の開口に向かって付勢する押圧部分と、回転可能な要素のカバーの両方として作用する。代替的な実施形態では、カバー要素は図３５と図３６に示す位置の間でのみ移動し、初期誘導機能も提供することができる。
【００９７】
図１〜図３６の実施形態のそれぞれでは、移動可能なパネルの枢軸および／または１または複数の押圧部分の枢軸は、細長い部材の長手方向軸Ａ−Ａに平行（または実質的に平行）である。別の実施形態では、移動可能なパネルの枢軸、および／または１または複数の押圧部分の枢軸は細長い部材に対して角度が付けられている。
【００９８】
好ましい実施形態では、回転可能な要素は実質的に平面状の円盤である。好ましくは、回転可能な要素は、細長い部材の長手方向軸Ａ−Ａに実質的に平行である軸の回りを回転する。押圧部分の枢軸を長手方向軸Ａ−Ａに実質的に平行に配置し、したがって回転可能な要素の回転軸に実質的に平行に配置することによって、押圧部分は円盤の平面に実質的に垂直な軸の回りを移動する。それによって、押圧部分は回転可能な要素に近い通路に沿って、係合せずに移動することができる。
【００９９】
図３７および図３８の実施形態では、本体９１２は、蝶番９８４によって互いに蝶番で留められる２つの本体部分９１２ａ、９１２ｂから形成される。
【０１００】
各本体部分９１２ａ、ｂは、それぞれフランジ９８６を有する。フランジ９８６は、図３７の開放位置では傾斜しており、髪の全長を第１の開口９２４に向かって誘導するように機能する。図３８の閉鎖位置では、フランジ９８６は互いに係合し、それによって、回転可能な要素９３４が回転を開始する前に、第１の開口は完全に閉鎖する。
【０１０１】
各本体部分９１２ａ、ｂは、回転可能な要素９３４を収容する溝９８６を有する。各本体部分９１２ａ、ｂは、要望に応じて、それぞれ加熱要素を有することができる。
【０１０２】
本体部分９１２ａ、ｂは、本実施形態では実質的に互いの鏡像であるが、鏡像の本体部分は、９１２などの本体を形成するためには必要ではないことが理解されよう。
【０１０３】
図３７および図３８は、蝶番９８４の軸が細長い部材の長手方向軸Ａ−Ａに平行（または実質的に平行）である好ましい実施形態を示す。ただし、他の実施形態では、蝶番の軸は、細長い部材の長手方向軸に対して傾斜して配置されている。
【０１０４】
図３９〜図４３の実施形態は、第１の部分１０３４ａおよび第２の部分１０３４ｂを備える２部分型の回転可能な要素１０３４を有する。装置１０１０の操作の前に、第１の部分１０３４ａおよび第２の部分１０３４ｂは、図３９に示すおよび図４１に示す開放位置を取る。この条件において、回転可能な要素１０３４は、端が開口した穴１０８８を提供する。穴１０８８の中に、ユーザは、（および／または装置の押圧部分があれば、そこを押圧することによって）髪の全長を挿入することができる。
【０１０５】
端が開口した穴１０８８の中に髪の全長が配置されるか、押圧されたとき、部分１０３４ａ、ｂは反対に回転し、図４２の中間位置を通って図４０および図４３の閉鎖位置まで移動する。閉鎖位置では、穴１０８８は完全にまたは実質的に閉鎖している。穴１０８８の中に配置される髪のすべては、穴１０８８の中で保持され、ほつれ毛は穴の中に入ることはできない。次に、回転可能な要素１０３４は（要望に応じて時計回りまたは反時計回りに）回転され、部分１０３４ａ、ｂは共に回転して閉鎖穴１０８８を維持する。
【０１０６】
閉鎖穴１０８８は、回転可能な要素１０３４がほつれ毛を把持することを防ぐため、髪がもつれる可能性は低減するか、回避される。したがって、本実施形態は、回転可能な要素のカバーまたはパネルを用いずに実施されてもよい。ただし、カバーはいずれにしても、特定のユーザから所望されることもある。
【０１０７】
部分１０３４ａおよびｂの逆回転は穴１０８８を閉鎖するためには必要ではなく、穴を閉鎖するためには、部分１０３４ａ、ｂのうちの１つのみが回転すればよいことが理解されよう。穴１０８８が閉鎖されると、部分１０３４ａ、ｂは共に回転し、細長い部材１０２０の回りの髪の全長をカールする。
【０１０８】
図４４〜図４８は、本発明の第６の態様による閉鎖要素を利用する実施形態を示す。本態様によれば、髪の全長を第１の開口１１２４に向かって押圧する押圧部分が提供されない。代わりに、閉鎖要素１１９０は、回転可能な要素１１３４の先端１１２８の円形の通路１１７２と一致して提供される。閉鎖要素１１９０をこの位置に配置し、先細の先端１１９２を提供することによって、閉鎖要素１１９０は、要望に応じて、髪を細長い部材１１２０に向けて、またはそこから離れるように移動させることができる。具体的には、回転可能な要素１１３４の先端１１２８の円形の通路１１７２内に位置する髪は、細長い部材１１２０に向かって（つまり、第１の開口１１２４に向かって、またはさらに第１の開口１１２４の中に）駆動される一方、円形の通路１１７２外側に位置する髪は、細長い部材１１２０から離れて押される。このようにして、髪の全長は、回転可能な要素１１３４によって把持されることになる第１の部分と、把持されない第２の部分に分けられる。第１の部分は、回転可能な要素が回転するにつれて、チャンバ１１１６内に押される。スタイリング操作を行う間、第２の部分は閉鎖要素１１９０によって、回転可能な要素から離れて保持される。
【０１０９】
回転可能な要素１１３４は、２つの先端１１２８を有し、これは、記載する実施形態のすべてに共通することが分かるであろう。したがって、回転可能な要素は、時計回りか反時計回りに回転するかにかかわらず、髪の全長を把持することができる。
【０１１０】
図４９〜図５１は、第１の開口１２２４にかかる任意の「ドア」１２９２を示す。図４９では、髪の全長１２２６はドアに隣接して配置される。本実施形態では、ドアは可撓性および弾性を有する。したがって、髪の全長１２２６は、図５０に示すように、ドア１２９２を通じてチャンバ１２１６内に押圧されてもよい。代替的に、ドアは可撓性でなくてもよいが、開放位置と閉鎖位置との間で枢軸に弾性的に取り付けられてもよい。所望する場合には、ドアが髪の全長をチャンバ１２１６内に維持するように、つまり髪はドアからチャンバ１２１６内に入れるが、チャンバから出ないように配置することができる。
【０１１１】
図６〜図３６の実施形態では、誘導部分は髪の全長を第１の開口に向かって押圧する機能を実施する。図５４〜図５９の代替的な実施形態では、誘導部分１３５４に加えて、個別の押圧部分１３９４がある。押圧部分１３９４は移動可能なパネル１３５６によって担持され、押圧部分１３９４の運動の通路はほとんど直接的に第１の開口に向かうため、この構成は特に有利である。
【０１１２】
このように、移動可能なパネル１３５６は本体に対して、本体１３１２のハンドル１３１４の対向する端部に配置される枢軸の回りを枢動することが理解されよう。誘導部分１３５４も本体１３１２に対して枢動する。誘導部分１３５４の枢軸Ｐ−Ｐ（図５５）は、第１の開口１３２４にほとんど直接的に隣接する。したがって、押圧部分１３９４は、移動可能なパネル１３５６が閉鎖する動作中に、誘導部分１３５４よりもはるかに小さい角度を通って移動する。これによって、第１の開口から髪の全長を押し離す傾向を最低限にする。
【０１１３】
図５６〜図５９に示す一連の操作から、移動可能なパネル１３５６の最初の閉鎖運動中に、髪の全長は誘導部分１３５４と係合し、第１の開口に向かって押圧される可能性が高くことが理解されるであろう。ただし、移動可能なパネル１３５６が図５８の位置に移動するまでには、髪の全長は、押圧部分１３９４によって、第１の開口に向かって実質的に完全に押圧される。
【０１１４】
図５５は、移動可能なパネル１３５６の底面を示す。特に、誘導部分１３５４と移動可能なパネルとの間の接続を示す。本実施形態では、誘導部分１３５４の両方は概ねＵ字型の一体構造の一部として形成される。Ｕ字型の底面は枢軸Ｐ−Ｐに沿って位置する。１つの誘導部分１３５４の端部は移動可能なパネル１３５６のポケットまたはチャンネル１３７０に配置され、それによって誘導部分１３５４は、移動可能なパネル１３５６の移動によって上昇され押圧される。別の実施形態では、誘導部分１３５４は図５４〜図５６の位置に向かって弾性的に付勢され、さらに別の実施形態では、移動可能なパネル１３５６を開放位置に対して駆動するようにも作用する。
【０１１５】
図５４および図５６は、特に、移動可能なパネル１３５６が傾斜面１３３０の高さをはるかに超えて開放されることができることを示す。それによって、移動可能なパネル１３５６の厚さ（つまり図中の垂直方向の寸法）を、固定誘導部分を利用する国際公開第２０１２／０８０７５１号の実施形態に比べてはるかに低くすることができる。
【０１１６】
他の実施形態では、１または複数の誘導部分は枢動せずに移動可能であってもよいことが理解されよう。つまり、１または複数の誘導部分はチャンネル内で摺動するように適応されてもよく、または、たとえば、曲げることによって移動に十分なほど可撓性を有するようにされてもよい。さらに、図２１〜図２８に類似する実施形態では、第２の誘導部分（つまり第１の開口前の傾斜面）は、曲げることによって移動するように可撓性を持って形成されてもよい。可撓性の１または複数の誘導部分は、移動可能なパネルによって係合されるとき、好ましくは変形される。
【０１１７】
図１〜図５の実施形態の修正では、装置は、ヘアトリートメント製品を髪の全長に塗布するように適応されえる。ヘアトリートメント製品、たとえば熱保護製品を塗布することは、国際公開第２００９／０７７７４７号に論じられている。本発明では、製品は移動可能なパネル１５６から配布されえる。特に有利な実施形態では、ヘアトリートメント製品を移動可能なパネル１５６内のタンクに保持してもよい。タンクはヒータ１５８に十分近いため、トリートメント製品は移動可能なパネルを通過し、髪の全長と係合する前に、タンク内で加熱され（理想的には蒸発させられ）る。
【０１１８】
ヘアトリートメント製品は、細長い部材を囲むチャンバ内に直接塗布されてもよい。または必要に応じて、チャンバに入る前に、トリートメント製品が髪に係合するように構成されてもよい。それによって、髪はチャンバに入る前に予熱される。その後、髪の全長はチャンバ内に短期間留まる必要がある可能性が高いが、その期間は別の方法でカールをセットするのに必要となるよりも短期間である。要望に応じて、（ヒータ１５８に加えて）髪がチャンバに入る前に髪の全長を加熱するためにヒータを提供してもよい。それによって、髪がカールをセットするチャンバに入る前に、（蒸発した）トリートメント製品および追加のヒータは一緒に髪を予熱するように作用する。
【０１１９】
国際公開第２００９／０７７７４７号に開示される装置と同様に、回転可能な要素は、回転可能な要素と共に回転する円筒形のハブに接続してもよい。回転可能な要素はハブとチャンバとの間に位置し、回転可能な要素の最初の回転の間に、髪の全長の一部はハブに巻きつけられる。（たとえば国際公開第２００９／０７７７４７号の図５Ｂ参照）。必要に応じて、回転するハブの回りを、ハブと共に回転しないスリーブを提供してもよい。それによって、ハブが回転するにつれて、別の方法で髪の全長に適用される力を回避することができる。スリーブは、自由に取り付けられ、どの方向にも回転可能である。これは、必要に応じて髪を強制的に取り除けるため、有利でありえる。代替的には、回転不可能なスリーブを装置の本体に取り付けえる。それによって、スリーブはヒータを組み込むように容易に適応可能であり、髪がチャンバに入る前に、髪の全長を予熱する。
【図１】
2015164538.tif 000003
【図２】
2015164538.tif 000004
【図３】
2015164538.tif 000005
【図４】
2015164538.tif 000006
【図５】
2015164538.tif 000007
【図６】
2015164538.tif 000008
【図７】
2015164538.tif 000009
【図８】
2015164538.tif 000010
【図９】
2015164538.tif 000011
【図１０】
2015164538.tif 000012
【図１１】
2015164538.tif 000013
【図１２】
2015164538.tif 000014
【図１３】
2015164538.tif 000015
【図１４】
2015164538.tif 000016
【図１５】
2015164538.tif 000017
【図１６】
2015164538.tif 000018
【図１７】
2015164538.tif 000019
【図１８】
2015164538.tif 000020
【図１９】
2015164538.tif 000021
【図２０】
2015164538.tif 000022
【図２１】
2015164538.tif 000023
【図２２】
2015164538.tif 000024
【図２３】
2015164538.tif 000025
【図２４】
2015164538.tif 000026
【図２５】
2015164538.tif 000027
【図２６】
2015164538.tif 000028
【図２７】
2015164538.tif 000029
【図２８】
2015164538.tif 000030
【図２９】
2015164538.tif 000031
【図３０】
2015164538.tif 000032
【図３１】
2015164538.tif 000033
【図３２】
2015164538.tif 000034
【図３３】
2015164538.tif 000035
【図３４】
2015164538.tif 000036
【図３５】
2015164538.tif 000037
【図３６】
2015164538.tif 000038
【図３７】
2015164538.tif 000039
【図３８】
2015164538.tif 000040
【図３９】
2015164538.tif 000041
【図４０】
2015164538.tif 000042
【図４１】
2015164538.tif 000043
【図４２】
2015164538.tif 000044
【図４３】
2015164538.tif 000045
【図４４】
2015164538.tif 000046
【図４５】
2015164538.tif 000047
【図４６】
2015164538.tif 000048
【図４７】
2015164538.tif 000049
【図４８】
2015164538.tif 000050
【図４９】
2015164538.tif 000051
【図５０】
2015164538.tif 000052
【図５１】
2015164538.tif 000053
【図５２】
2015164538.tif 000054
【図５３】
2015164538.tif 000055
【図５４】
2015164538.tif 000056
【図５５】
2015164538.tif 000057
【図５６】
2015164538.tif 000058
【図５７】
2015164538.tif 000059
【図５８】
2015164538.tif 000060
【図５９】
2015164538.tif 000061